(57)【要約】【課題】視認性が高い表示装置を提供する。【解決手段】表示画面の画像表示領域に画像を表示する画像表示手段（表示処理モジュール３７）と、表示画面の地図表示領域に地図を表示する地図表示手段（表示処理モジュール）と、地図表示領域上の画像撮像位置にアイコンを表示するアイコン表示手段（登録処理モジュール３４）と、画像表示領域に表示している画像の画像撮像位置近傍における単位面積あたりの画像撮像枚数が多いほど地図表示領域に表示する地図の縮尺が大きくなるように変更する変更手段（登録処理モジュール３４）と、を有する。【選択図】図２
2009237243.tif 000002
【特許請求の範囲】
【請求項１】
複数の画像を所定の順序でスライドショー表示する表示装置において、
表示画面の画像表示領域に前記画像を表示する画像表示手段と、
前記表示画面の地図表示領域に地図を表示する地図表示手段と、
前記地図表示領域上の画像撮像位置にアイコンを表示するアイコン表示手段と、
前記画像表示領域に表示している画像の画像撮像位置近傍における単位面積あたりの画
像撮像枚数が多いほど前記地図表示領域に表示する地図の縮尺が大きくなるように変更す
る変更手段と、
を有することを特徴とする表示装置。
【請求項２】
請求項１に記載の表示装置において、
前記アイコン表示手段は、複数のアイコンが重複して表示される場合には、これら複数
のアイコンをまとめて１つのアイコンとして表示する、
ことを特徴とする表示装置。
【請求項３】
請求項１または２に記載の表示装置において、
前記画像表示領域に表示されている画像に対応するアイコンが強調表示される、
ことを特徴とする表示装置。
【請求項４】
請求項１乃至３のいずれか１項に記載の表示装置において、
前記地図表示領域に表示される地図の縮尺が所定の縮尺よりも大きい場合には、前記画
像表示領域に表示されている画像の撮像場所の周辺に存在する施設または場所を示す周辺
情報が前記地図上に表示される、
ことを特徴とする表示装置。
【請求項５】
請求項１乃至４のいずれか１項に記載の表示装置において、
前記変更手段は、前記画像表示領域に表示している画像の画像撮像位置近傍における単
位面積あたりの画像撮像枚数に応じて前記地図表示領域に表示する情報量を変更する、
ことを特徴とする表示装置。
【請求項６】
複数の画像を所定の順序でスライドショー表示する表示方法において、
表示画面の画像表示領域に前記画像を表示する画像表示ステップと、
前記表示画面の地図表示領域に地図を表示する地図表示ステップと、
前記地図表示領域上の画像撮像位置にアイコンを表示するアイコン表示ステップと、
前記画像表示領域に表示している画像の画像撮像位置近傍における単位面積あたりの画
像撮像枚数が多いほど前記地図表示領域に表示する地図の縮尺が大きくなるように変更す
る変更ステップと、
を有することを特徴とする表示方法。
【請求項７】
複数の画像を所定の順序でスライドショー表示する表示プログラムにおいて、
表示画面の画像表示領域に前記画像を表示する画像表示手段、
前記表示画面の地図表示領域に地図を表示する地図表示手段、
前記地図表示領域上の画像撮像位置にアイコンを表示するアイコン表示手段、
前記画像表示領域に表示している画像の画像撮像位置近傍における単位面積あたりの画
像撮像枚数が多いほど前記地図表示領域に表示する地図の縮尺が大きくなるように変更す
る変更手段、
としてコンピュータを機能させることを特徴とする表示プログラム。
【発明の詳細な説明】
【技術分野】
【０００１】
本発明は、表示装置、表示方法、および、表示プログラムに関する。
【背景技術】
【０００２】
画像等の情報を当該画像等が記録された場所を示す情報とともに蓄積し、電子地図上に
おいて画像等を指定して再生することが可能な装置が特許文献１に開示されている。
【特許文献１】特開平０７−２８６８５４号公報
【発明の開示】
【発明が解決しようとする課題】
【０００３】
ところで、特許文献１に示す装置では、同じ場所に複数の画像等が存在した場合には、
これらを一度に表示しようとすると視認性が低下してしまうという問題点がある。
本発明は、上述した事情に鑑みてなされたものであり、視認性が高い表示装置、表示方
法、および、表示プログラムを提供することを目的とする。
【課題を解決するための手段】
【０００４】
上記目的を達成するために、本発明は、複数の画像を所定の順序でスライドショー表示
する表示装置において、表示画面の画像表示領域に前記画像を表示する画像表示手段と、
前記表示画面の地図表示領域に地図を表示する地図表示手段と、前記地図表示領域上の画
像撮像位置にアイコンを表示するアイコン表示手段と、前記画像表示領域に表示している
画像の画像撮像位置近傍における単位面積あたりの画像撮像枚数が多いほど前記地図表示
領域に表示する地図の縮尺が大きくなるように変更する変更手段と、を有することを特徴
とする。
上記構成によれば、画像表示領域に表示している画像の画像撮像位置近傍における単位
面積あたりの画像撮像枚数が多いほど地図表示領域に表示する地図の縮尺が大きくなるよ
うに変更される。このため、撮像枚数が多い領域は詳細な地図によって表示されるため、
視認性を高めることができる。
【０００５】
また、本発明は、上記発明において、前記アイコン表示手段は、複数のアイコンが重複
して表示される場合には、これら複数のアイコンをまとめて１つのアイコンとして表示す
ることを特徴とする。
上記構成によれば、複数のアイコンが重複して表示される場合には１つのアイコンとし
てまとめて表示される。このため、複数のアイコンが存在する場合にはこれらをまとめて
表示することにより視認性を高めることができる。
【０００６】
また、本発明は、上記発明において、前記画像表示領域に表示されている画像に対応す
るアイコンが強調表示されることを特徴とする。
上記構成によれば、画像表示領域に表示される画像に対応するアイコンが強調表示され
る。このため、表示されている画像の撮像場所を複数のアイコンの中から容易に特定する
ことができる。
【０００７】
また、本発明は、上記発明において、前記地図表示領域に表示される地図の縮尺が所定
の縮尺よりも大きい場合には、前記画像表示領域に表示されている画像の撮像場所の周辺
に存在する施設または場所を示す周辺情報が前記地図上に表示されることを特徴とする。
上記構成によれば、所定の縮尺よりも大きい場合には周辺情報が表示される。このため
、関心が高いと考えられる撮像場所の近隣の周辺情報を表示することにより、ユーザによ
り利用価値が高い情報を与えることができる。
【０００８】
また、本発明は、上記発明において、前記変更手段は、前記画像表示領域に表示してい
る画像の画像撮像位置近傍における単位面積あたりの画像撮像枚数に応じて前記地図表示
領域に表示する情報量を変更することを特徴とする。
上記構成によれば、画像の単位面積あたりの撮像枚数に応じて地図領域に表示される情
報量が変更される。このため、単位面積あたりの撮像枚数が多い場合には、表示する情報
量を増加することにより、ユーザに情報の選択範囲を広げることができる。
【０００９】
また、本発明は、複数の画像を所定の順序でスライドショー表示する表示方法において
、表示画面の画像表示領域に前記画像を表示する画像表示ステップと、前記表示画面の地
図表示領域に地図を表示する地図表示ステップと、前記地図表示領域上の画像撮像位置に
アイコンを表示するアイコン表示ステップと、前記画像表示領域に表示している画像の画
像撮像位置近傍における単位面積あたりの画像撮像枚数が多いほど前記地図表示領域に表
示する地図の縮尺が大きくなるように変更する変更ステップと、を有することを特徴とす
る。
上記方法によれば、画像表示領域に表示している画像の画像撮像位置近傍における単位
面積あたりの画像撮像枚数が多いほど地図表示領域に表示する地図の縮尺が大きくなるよ
うに変更される。このため、撮像枚数が多い領域は詳細な地図によって表示されるため、
視認性を高めることができる。
【００１０】
また、本発明は、複数の画像を所定の順序でスライドショー表示する表示プログラムに
おいて、表示画面の画像表示領域に前記画像を表示する画像表示手段、前記表示画面の地
図表示領域に地図を表示する地図表示手段、前記地図表示領域上の画像撮像位置にアイコ
ンを表示するアイコン表示手段、前記画像表示領域に表示している画像の画像撮像位置近
傍における単位面積あたりの画像撮像枚数が多いほど前記地図表示領域に表示する地図の
縮尺が大きくなるように変更する変更手段、としてコンピュータを機能させることを特徴
とする。
上記プログラムによれば、画像表示領域に表示している画像の画像撮像位置近傍におけ
る単位面積あたりの画像撮像枚数が多いほど地図表示領域に表示する地図の縮尺が大きく
なるように変更される。このため、撮像枚数が多い領域は詳細な地図によって表示される
ため、視認性を高めることができる。
【発明を実施するための最良の形態】
【００１１】
以下、図面を参照して本発明の実施形態について説明する。なお、以下では、本発明の
表示方法および表示プログラムは、表示装置の動作および表示装置を制御するプログラム
として説明する。
【００１２】
（Ａ）実施の形態の構成の説明
図１は、本発明を適用した実施形態に係る表示装置の概略構成を示す図である。図１に
示すように、表示装置１０は、ＣＰＵ（Central Processing Unit）１１、ＲＯＭ（Read 
Only Memory）１２、記憶装置１３、ＲＡＭ（Random Access Memory）１４、画像処理部
１５、Ｉ／Ｆ（Interface）１６、バス１７、表示部１８、および、入力装置１９を主要
な構成要素としている。
【００１３】
ここで、ＣＰＵ１１は、ＲＯＭ１２または記憶装置１３に格納されているプログラムに
応じて各種演算処理を実行するとともに、装置の各部を制御する。ＲＯＭ１２は、ＣＰＵ
１１が実行するプログラムおよびその他のデータを格納している半導体メモリである。記
憶装置１３は、例えば、ＨＤＤ（Hard Disk Drive）またはＥＥＰＲＯＭ（Electrically 
Erasable and Programmable ROM）等によって構成され、ＣＰＵ１１が実行するプログラ
ムまたはデータを格納している。なお、図１の例では、プログラム１３ａのみを例示して
いるが、実際には、これ以外にも各種のデータ等が格納されている。ＲＡＭ１４は、ＣＰ
Ｕ１１が実行対象とするプログラムやデータを一時的に格納する半導体メモリである。画
像処理部１５は、ＣＰＵ１１から供給された描画命令に基づいて描画処理を実行し、得ら
れた画像を映像信号に変換して表示部１８に供給して表示させる。Ｉ／Ｆ１６は、入力装
置１９から供給される情報を入力するとともに、図示せぬ周辺機器が接続された場合には
当該周辺機器との間で情報を授受する。バス１７は、ＣＰＵ１１、ＲＯＭ１２、記憶装置
１３、ＲＡＭ１４、画像処理部１５、および、Ｉ／Ｆ１６を相互に接続し、これらの間で
情報の授受を可能とするための信号線群である。表示部１８は、例えば、ＬＣＤ（Liquid
Crystal Display）またはＣＲＴ（Cathode Ray Tube）等の表示デバイスによって構成さ
れ、画像処理部１５から出力される映像信号に対応する画像を表示する。入力装置１９は
、例えば、キーボードまたはマウスによって構成され、ユーザの操作に応じた情報を生成
して出力する。
【００１４】
つぎに、図２を参照して、図１に示す記憶装置１３に格納されているプログラム１３ａ
が実行されることにより、ソフトウエアとしてのプログラム１３ａと、ハードウエアとし
てのＣＰＵ１１その他が協働することにより実現される機能ブロック群について説明する
。図２に示すように、プログラム１３ａが実行されることにより実現される機能ブロック
群３０としては、画像データ入力モジュール３１、格納モジュール３２、操作情報入力モ
ジュール３３、登録処理モジュール３４、作成処理モジュール３５、実行処理モジュール
３６、および、表示処理モジュール３７を有している。
ここで、画像データ入力モジュール３１は、例えば、Ｉ／Ｆ１６に周辺機器としてのデ
ジタルカメラが接続された場合に、ユーザの指示に応じて、当該デジタルカメラから画像
データを入力するモジュールである。格納モジュール３２は、地図データ３２ａ、画像デ
ータ３２ｂ、テーブル３２ｃ、および、表示データ３２ｄその他を格納する。ここで、地
図データ３２ａは、縮尺の異なる複数の地図を有している。それぞれの縮尺の地図は、標
高線を示す情報、道路を示す情報、ランドマークを示す情報、および、緯度経度を示す情
報等を有している。画像データ３２ｂは、画像データ入力モジュール３１から入力された
画像データであり、スライドショーが実行された際に表示される。画像データには、撮像
場所を示す緯度、経度、および、高度等の撮像場所情報および撮像日時を示す撮像日時情
報が含まれている。なお、撮像場所情報は、デジタルカメラが有するＧＰＳ（Global Pos
itioning System）に基づいて測位され、画像データのヘッダ等に格納される。撮像日時
情報は、デジタルカメラが有するタイマによって生成され、同じく画像データのヘッダ等
に格納される。テーブル３２ｃは、スライドショーを実行する際に必要な情報が画像毎に
格納されて構成される。表示データ３２ｄは、スライドショーを実行する際に、表示部１
８に表示する情報であり、地図データその他に基づいて生成される情報である。
【００１５】
操作情報入力モジュール３３は、入力装置１９をユーザが操作した場合に、入力装置１
９から出力される情報を入力するモジュールである。登録処理モジュール３４は、スライ
ドショーの対象となる画像データを登録する処理およびその他の処理を実行するモジュー
ルである。作成処理モジュール３５は、スライドショーの際に表示される地図にトラック
バーを表示するための情報を作成する処理およびその他の処理を実行するモジュールであ
る。実行処理モジュール３６は、スライドショーを実行するためのモジュールである。表
示処理モジュール３７は、スライドショーが実行された場合に、画像その他の情報を表示
部１８に表示するモジュールである。
【００１６】
（Ｂ）実施の形態の動作の概要説明
つぎに、本実施の形態の動作の概要について説明する。図３は、本実施の形態の動作の
概要を説明するための図である。この図に示すように、本実施の形態では、スライドショ
ーによって画像データ３２ｂに含まれる複数の画像を再生する際に、画像が撮像された場
所である撮像場所を含む地図を表示する。
当該地図には、撮像場所を示す複数のアイコン７０および撮像場所を結ぶトラック５３
上を移動するスライダ５４によって画像の再生位置を示すトラックバー５０が表示される
。トラック５３の始点と終点にはアイコン５１，５２がそれぞれ表示されている。
【００１７】
図４および図５は、表示部１８に表示される地図の種類を示す例である。図４に示すよ
うに、地図データ３２ａとしては、縮尺が異なる複数の地図（図４の例では３種類の地図
）を有している。図５は、アイコン７０と地図の縮尺の関係を示す図である。図５（Ａ）
は、図４に示す「Ｓ０１」に対応する縮尺の地図を示しており、図５（Ｂ）および図５（
Ｃ）は、図４に示す「Ｓ０３」に対応する縮尺の地図を示している。ここで、図５（Ｂ）
は図５（Ａ）の一点鎖線内の領域に対応する地図であり、図５（Ｃ）は図５（Ａ）の破線
内の領域に対応する地図である。本実施の形態では、スライドショー再生時において、表
示されている画像の撮像位置近傍における単位面積あたりの撮像枚数が少ない場合には縮
尺の小さい地図（例えば、Ｓ０１）が表示され、撮像枚数が多い場合には縮尺の大きい地
図（例えば、Ｓ０３）が自動的に選択されて表示される。具体的には、図５（Ａ）の左側
に位置するアイコン７０を撮像場所とする画像を表示する場合、図５（Ｂ）に示すように
当該撮像場所の周辺で撮像された他の画像は存在しない（アイコン７０は合計で１つであ
る）ことから、図５（Ａ）に示す広域地図が表示される。一方、図５（Ａ）の右側に位置
するアイコン７０を撮像場所とする画像を表示する場合、図５（Ｃ）に示すように当該撮
像場所の周辺で撮像された他の画像は４枚存在する（アイコン７０は合計で５つである）
ことから、図５（Ｃ）に示す詳細地図が表示される。このように、撮像された画像の枚数
が多い領域を表示する場合、当該領域はユーザの関心が高い領域であると推定することが
できるので、詳細な地図を表示することにより、撮像場所の周辺における詳細な情報を得
ることができる。また、撮像された画像の枚数が少ない場合には、関心が低い領域と判断
されるので、詳細な地図は表示せずに、全体が俯瞰できる広域地図を表示する。
なお、図５（Ａ）に示すような、広域地図においては、複数の隣接するアイコン７０は
、１つ程度のアイコン７０に代表して表示される。これにより、複数のアイコン７０が重
畳して表示されることにより、視認性が低下することを防止できる。ところで、図４の例
では、縮尺の異なる３種類の地図を示しているが、２種類であっても、４種類以上であっ
てもよい。
【００１８】
また、本実施の形態では、スライドショーが開始されると、複数の画像が表示部１８に
順次表示されるとともに、表示されている画像に対応するトラック５３上の位置にスライ
ダ５４が移動して表示される。このようなスライダ５４の位置および地図を参照すること
により、画像が撮像された位置を知ることができる。また、スライダ５４をユーザが移動
させることにより、所望の画像を検索して表示させることができる。
【００１９】
（Ｃ）実施の形態の詳細な動作の説明
つぎに、本発明の実施の形態の詳細な動作について説明する。図６は、本発明の実施の
形態において実行される処理の一例を説明するフローチャートである。このフローチャー
トの処理が開始されると、以下のステップが実行される。すなわち、ステップＳ１０では
、登録処理モジュール３４は、図示せぬ初期設定画面を表示部１８に表示し、初期設定項
目の入力を受ける。なお、初期設定画面では、例えば、ＢＧＭ（Back Ground Music）と
して使用する音楽ファイルを選択したり、スライドショー再生時に画像を切り換える際の
演出効果（エフェクト）を選択したりすることができる。なお、演出効果としては、例え
ば、現在表示されている画像をフェードアウトし、新たな画像をフェードインして表示す
る等である。
【００２０】
ステップＳ１１では、登録処理モジュール３４は、処理を開始するか否かを判定し、処
理を開始する場合にはステップＳ１２に進み、それ以外の場合には同様の処理を繰り返す
。例えば、ユーザが入力装置１９を操作して、処理を開始する指示を行った場合には、ス
テップＳ１２に進み、それ以外の場合には指示がなされるまで同様の処理を繰り返す。
ステップＳ１２では、図７を参照して後述する「スライドショー登録処理」を実行する
。スライドショー登録処理では、スライドショー表示しようとする画像が選択されるとと
もに、それぞれの画像とともに表示される地図が生成されて登録される。
ステップＳ１３では、図９を参照して後述する「スライドショー作成処理」を実行する
。スライドショー作成処理では、スライドショーにおいて画像とともに表示される地図に
対してトラックバー５０を付加する。
ステップＳ１４では、図１０を参照して後述する「スライドショー実行処理」を実行す
る。スライドショー実行処理では、ステップＳ１２およびステップＳ１３において生成さ
れたスライドショーが実行され、画像がスライドショー表示されるとともに、表示されて
いる画像の撮像場所に応じてトラックバー５０のスライダ５４が移動される。
【００２１】
つぎに、図７を参照して、図６のステップＳ１２に示すスライドショー登録処理の詳細
について説明する。図７に示すフローチャートの処理が開始されると、以下のステップが
実行される。すなわち、ステップＳ３０では、画像データ入力モジュール３１は、スライ
ドショー表示の対象となる画像の選択を受ける。すなわち、ユーザが、図示せぬデジタル
カメラをＩ／Ｆ１６に対してＵＳＢ（Universal Serial Bus）接続ケーブル等により接続
し、入力装置１９を操作して、スライドショー表示の対象となる画像を１枚選択したとす
ると、画像データ入力モジュール３１は、選択された画像データをデジタルカメラから読
み出して、格納モジュール３２に画像データ３２ｂとして格納する。
【００２２】
ステップＳ３１では、登録処理モジュール３４は、操作情報入力モジュール３３から、
各画像と併せて表示するコメントの入力を受ける。なお、コメントとして入力する情報と
しては、例えば、テキスト情報があり、各画像の内容を示す文字列（例えば、後述する図
１１に示す「○○峠の××杉の傍らにて。」）が入力される。
ステップＳ３２では、登録処理モジュール３４は、ステップＳ３０において選択された
画像のヘッダ等に格納されている撮像情報を取得する。なお、このとき撮像情報として取
得される情報としては、ファイル名、撮像日時、経度、緯度、および、高度等の情報があ
る。ここで、ファイル名は、画像データファイルに付与された名称である。撮像日時は、
画像データが撮像された日時を示す情報である。経度、緯度、および、高度は、画像が撮
像された撮像場所の経度、緯度、および、高度を示す。
【００２３】
ステップＳ３３では、登録処理モジュール３４は、ステップＳ３１で入力されたコメン
トを格納モジュール３２に格納するとともに、ステップＳ３２で取得された撮像情報を、
テーブル３２ｃに登録する。図８は、テーブル３２ｃの一例を示す図である。この例では
、テーブル３２ｃには、「再生順序」、「ファイル名」、「撮像日時」、「経度」、「緯
度」、「高度」、「経路」、「付加情報」、「地図縮尺」、および、「スライダ位置」が
登録されている。ここで、「再生順序」は、スライドショー実行時における画像の再生順
序を示している。「ファイル名」は、画像データファイルに付与された名称であり、ステ
ップＳ３２において取得された情報である。「撮像日時」は、画像が撮像された日時を示
す情報であり、ステップＳ３２において取得された情報である。「経度」、「緯度」、お
よび、「高度」は、画像の撮像場所の経度、緯度、および、高度を示す情報であり、ステ
ップＳ３２において取得された情報である。「経路」は、画像が属する経路を示しており
、この情報は後述する図９の処理によって生成される。「付加情報」は、ステップＳ３１
において入力されたコメントが格納されたファイルのファイル名を示す。「地図縮尺」は
、スライドショー実行時において、当該画像が表示される際に併せて表示される地図の縮
尺を示す。なお、表示される地図の縮尺は、後述するように、当該画像の撮像場所を中心
とする所定の領域内において撮像された他の画像の枚数の多寡によって決定される。すな
わち、撮像場所を中心とする所定の領域内において撮像された他の画像の枚数が多い場合
には、縮尺の大きい詳細地図が表示され、枚数が少ない場合には、縮尺の小さい広域地図
が表示される。「スライダ位置」は、スライドショー実行時において、当該画像が表示さ
れる際のスライダ５４のトラック５３上における位置を示している。すなわち、スライド
ショー実行時には、画像の再生に同期してスライダ５４がトラック５３上を移動していく
が、「スライダ位置」は各画像が表示されている際のスライダ５４の表示位置を示す。な
お、「地図縮尺」および「スライダ位置」は後述する図９の処理によって求められ、テー
ブル３２ｃに格納される。
【００２４】
ステップＳ３４では、登録処理モジュール３４は、各縮尺の地図に対して、撮像場所を
示すアイコン７０を付加する。より詳細には、登録処理モジュール３４は、ステップＳ３
２において取得した撮像情報の経度、緯度、および、高度を参照し、各縮尺の地図上にお
いて該当する地点を特定する。そして、特定した地点に対してアイコン７０を付加する。
なお、このとき、既に付加されているアイコン７０が近接する地点に存在する場合には、
新たな付加を中止する。具体的には、例えば、既存のアイコン７０と新たに付加しようと
するアイコン７０の少なくとも一部が重なる場合には、新たなアイコン７０を付加すると
視認性が低下するので、新たなアイコンは付加しない。このような処理により、図５（Ｂ
）に示す縮尺が大きい地図の場合において、アイコン７０の距離が所定の距離以上離れて
いるときには、複数のアイコン７０が付加される。一方、図５（Ａ）に示すように、縮尺
が小さい地図において、アイコン７０の距離が所定の距離以上離れていない場合には、複
数のアイコンが１つのアイコン７０によって代表して表示される。
【００２５】
ステップＳ３５では、登録処理モジュール３４は、新たな画像を追加する処理を繰り返
すか否かを判定し、処理を繰り返す場合（ステップＳ３５；Ｙｅｓ）にはステップＳ３０
に戻って前述の場合と同様の処理を繰り返し、それ以外の場合（ステップＳ３５；Ｎｏ）
にはステップＳ３６に進む。例えば、ユーザが入力装置１９を操作して、画像の選択を終
了する指示を行った場合には、Ｎｏと判定してステップＳ３６に進む。
【００２６】
ステップＳ３６では、登録処理モジュール３４は、テーブル３２ｃから処理対象となる
画像を１つ選択する。そして、ステップＳ３７では、ステップＳ３６で選択した画像の撮
像場所を示す経度および緯度をテーブル３２ｃから取得し、当該撮像場所を中心とした所
定の領域（例えば、撮像場所を中心とする半径１００ｍの円形領域）内において撮像され
た画像の枚数（密度）を計算する。具体的には、処理対象としてファイル名が「Ｆ０００
００１」の画像が選択された場合には、経度「Ｅ１３５．１５．２５」および緯度「Ｎ３
５．１１．３１」を中心とする半径１００ｍの領域内において撮像された他の画像の全て
がテーブル３２ｃから検索される。この検索の結果、処理対象の画像を含めて３枚の画像
が領域内において撮像された場合には、枚数は“３”と計算される。
【００２７】
ステップＳ３８では、登録処理モジュール３４は、ステップＳ３７で求めた画像の枚数
に基づいて、スライドショー時において画像とともに表示される地図の縮尺を決定する。
具体的には、例えば、地図が図４に示すように３種類（Ｓ０１〜Ｓ０３）である場合にお
いて、ステップＳ３７で求めた画像の枚数が“２”未満であるときにはＳ０１の地図が選
択され、画像の枚数が“２”以上かつ“５”未満であるときにはＳ０２の地図が選択され
、画像の枚数が“５”以上であるときにはＳ０３の地図が選択される。このように、密度
が高い場合に縮尺が大きい地図を選択するのは、画像の密度が高い領域はユーザの関心が
高い領域であると考えられるので、縮尺が大きい地図を表示することにより、より詳細な
情報を得ることができるためである。
【００２８】
ステップＳ３９では、登録処理モジュール３４は、ステップＳ３８で選択された地図の
種類を示す情報をテーブル３２ｃに登録する。この結果、図８の「地図縮尺」に、画像毎
に「Ｓ０１」、「Ｓ０２」、または、「Ｓ０３」のいずれかが選択されて登録される。
【００２９】
ステップＳ４０では、登録処理モジュール３４は、処理を繰り返すか否かを判定し、全
ての画像に対する処理が終了していないので処理を繰り返すと判定した場合（ステップＳ
４０；Ｙｅｓ）にはステップＳ３６に戻って前述の場合と同様の処理を繰り返し、それ以
外の場合（ステップＳ４０；Ｎｏ）には処理を終了する。
以上の処理により、スライドショーの表示対象となる画像が選択されて画像データ３２
ｂとして格納モジュール３２に格納される。また、画像の撮像情報が取得されたテーブル
３２ｃに格納されるとともに、各縮尺の地図に対して撮像場所を示すアイコン７０が付加
される。さらに、撮像場所を中心とする所定の領域内における画像の枚数が計算され、ス
ライドショー時において画像とともに表示される地図の縮尺が決定されてテーブル３２ｃ
に格納される。
【００３０】
つぎに、図９を参照して、トラックバー５０を地図に付加する処理について説明する。
このフローチャートの処理が実行されると、以下のステップが実行される。すなわち、ス
テップＳ６０では、作成処理モジュール３５は、テーブル３２ｃから各画像の経度および
緯度を示す情報を読み込む。つづくステップＳ６１では、作成処理モジュール３５は、ス
ライドショーの対象となる全画像の情報の読み込みが終了したか否かを判定し、全ての画
像の情報の読み込みが終了したと判定した場合（ステップＳ６１；Ｙｅｓ）にはステップ
Ｓ６２に進み、それ以外の場合（ステップＳ６１；Ｎｏ）にはステップＳ６０に戻って同
様の処理を繰り返す。
【００３１】
ステップＳ６２では、作成処理モジュール３５は、読み込まれた経度および緯度を示す
情報によって示される地点をノードとし、これら複数のノードを結ぶ曲線（経路）を補間
処理によって求める。なお、補間処理としては、例えば、エルミート補間、スプライン補
間、その他の補間処理を用いることができる。また、撮像場所の密度が高い場所について
は、それら複数の撮像場所の代表値をノードとするようにしてもよい。
【００３２】
ステップＳ６３では、作成処理モジュール３５は、ステップＳ６２において生成された
経路に基づいてトラックバー５０のトラック５３を作成する。より詳細には、作成処理モ
ジュール３５は、ステップＳ６２において生成された経路を、それぞれの地図の縮尺に応
じて拡大または縮小するとともに、アイコン５１，５２を始点および終点に付加する。な
お、トラック５３とアイコン７０が重なる場合には、これらが重ならないように、トラッ
ク５３の位置を微調整するようにしてもよい。
【００３３】
ステップＳ６４では、作成処理モジュール３５は、ステップＳ６３で作成されたトラッ
クを各縮尺の地図に対して付加する。この結果、それぞれの地図には、図３に示すような
、トラック５３およびアイコン５１，５２が付加される。なお、このようにしてトラック
が付加された地図は、表示データ３２ｄとして格納モジュール３２に格納される。
【００３４】
ステップＳ６５では、作成処理モジュール３５は、テーブル３２ｃから処理対象となる
画像を選択する。そして、ステップＳ６６では、作成処理モジュール３５は、選択した画
像に関する経度、緯度、および、地図縮尺をテーブル３２ｃから取得する。
つぎに、ステップＳ６７において、作成処理モジュール３５は、対象となる画像を表示
している際において、トラック５３上におけるスライダ５４の表示位置を決定する。より
詳細には、作成処理モジュール３５は、経度および緯度に基づいて求められる地図上の地
点とトラック５３の各点との距離を求め、当該距離が最小になる位置をスライダ５４の表
示位置に決定する。なお、その際、トラック５３のスケールは、地図毎に異なるので、「
地図縮尺」を示す情報を参照して計算を行う。
ステップＳ６８では、作成処理モジュール３５は、ステップＳ６７で算出したスライダ
の表示位置を示す情報を、テーブル３２ｃに「スライダ位置」として登録する。具体的に
は、図８の例では、例えば、１番目の情報の場合には、スライダ位置として座標情報であ
る「２０，２５０」が格納される。
ステップＳ６９では、作成処理モジュール３５は、処理を繰り返すか否かを判定し、全
ての画像に対する処理が終了していないので処理を繰り返すと判定した場合（ステップＳ
６９；Ｙｅｓ）にはステップＳ６５に戻って前述の場合と同様の処理を繰り返し、それ以
外の場合（ステップＳ６９；Ｎｏ）には処理を終了する。
【００３５】
以上の処理により、トラックバー５０が生成されて地図に付加されるとともに、各画像
が表示されている際のトラック５３上におけるスライダ５４の表示位置が計算されてテー
ブル３２ｃに登録される。
【００３６】
つぎに、図１０を参照して、スライドショー再生時における動作について説明する。図
１０に示すフローチャートの処理が開始されると、以下のステップが実行される。すなわ
ち、ステップＳ９０では、実行処理モジュール３６は、再生対象となる画像をテーブル３
２ｃから選択する。具体的には、実行処理モジュール３６は、テーブル３２ｃにおける現
在の表示位置を示す情報（例えば、図８の「再生順序」を示す情報）を有しており、当該
情報を参照してテーブル３２ｃから再生対象となる画像を選択する。例えば、１回目の処
理である場合には、テーブル３２ｃの１番目に格納されているファイル名が「Ｆ００００
０１」である画像が選択される。
【００３７】
ステップＳ９１では、実行処理モジュール３６は、画像と同時に表示する地図を選択す
る。より詳細には、実行処理モジュール３６は、ステップＳ９０で選択した画像に対応す
る地図縮尺を、テーブル３２ｃから取得する。例えば、１回目の処理である場合には、テ
ーブル３２ｃから「Ｓ０１」が取得される。
【００３８】
ステップＳ９２では、実行処理モジュール３６は、ステップＳ９１で選択された地図に
対応する地図データ（地図にトラックバー５０およびアイコン７０が付加されたデータ）
を、格納モジュール３２に格納されている表示データ３２ｄから取得し、表示処理モジュ
ール３７に供給する。この結果、表示処理モジュール３７は、供給された地図データを表
示部１８に表示する。
【００３９】
ステップＳ９３では、実行処理モジュール３６は、対象となる画像のスライダ位置をテ
ーブルから取得する。具体的には、例えば、１回目の処理である場合には、テーブルの第
１番目から「２０，２５０」が取得される。
つづくステップＳ９４では、実行処理モジュール３６は、ステップＳ９３で取得したス
ライダ位置を、表示処理モジュール３７に供給する。表示処理モジュール３７は、供給さ
れたスライダ位置に基づいて、スライダ５４をトラック５３上に表示させる。
以上の処理により、図１１に示すように、表示部１８の領域１８ａには、地図、トラッ
クバー５０、および、複数のアイコン７０が表示される。この例では、トラック５３とし
てＳ字形状を有する曲線が表示され、曲線の始点と終点にはアイコン５１，５２が表示さ
れている。トラック５３の周辺には撮像場所を示す複数のアイコン７０が表示されている
。複数のアイコン７０のうち、現在、表示対象となっている画像に対応するアイコン（左
下のアイコン）はハイライト（強調）表示されている。また、トラック５３上には、再生
されている画像に対応する位置にスライダ５４が表示されている。なお、ハイライト表示
とは、アイコン７０の表示形態を他のアイコン７０と変化させることであり、例えば、点
滅表示したり、表示色を変更したり、表示形状を変更したりする方法がある。これ以外の
方法であってもよい。
【００４０】
ステップＳ９５では、実行処理モジュール３６は、表示中の画像を新たな画像に切り換
える処理を実行する。すなわち実行処理モジュール３６は、テーブル３２ｃを参照して、
新たな画像を画像データ３２ｂから取得し、表示処理モジュール３７に供給する。表示処
理モジュール３７は、図６のステップＳ１０の初期設定によって設定された演出効果（エ
フェクト）に基づいて、現在表示中の画像を、供給された新たな画像に切り換える。具体
的には、現在表示中の画像をフェードアウト表示し、新たな画像をフェードイン表示する
。この結果、表示部１８の領域１８ｂには、画像が表示される。図１１の例では、人物と
複数の樹木とが撮像された画像が表示されている。
【００４１】
ステップＳ９６では、実行処理モジュール３６は、ステップＳ９５で新たに表示された
画像に対応するコメントのファイル名をテーブル３２ｃから取得し、当該ファイル名に対
応するファイルを格納モジュール３２から読み出して表示処理モジュール３７に供給する
。表示処理モジュール３７は、供給されたコメントを表示部１８に表示する。この結果、
表示部１８の領域１８ｃには、図１１に示すようなコメントが表示される。この例では、
コメントとして「○○峠の××杉の傍らにて。」が表示されている。
【００４２】
ステップＳ９７では、実行処理モジュール３６は、スライダ５４がユーザによって操作
されたか否かを判定し、操作された場合（ステップＳ９７；Ｙｅｓ）にはステップＳ９９
に進み、それ以外の場合（ステップＳ９７；Ｎｏ）にはステップＳ９８に進む。より詳細
には、表示部１８に表示された情報を参照しながら、ユーザが入力装置１９を操作し、ス
ライダ５４を移動させる操作を行った場合には、実行処理モジュール３６は、スライダ５
４が操作されたと判定してステップＳ９９に進む。なお、操作がされていない場合には、
ステップＳ９８に進む。
【００４３】
ステップＳ９８では、実行処理モジュール３６は、スライドショー表示の対象となる全
ての画像の再生が終了したか否かを判定し、終了していないと判定した場合（ステップＳ
９８；Ｎｏ）にはステップＳ９０に戻って前述の場合と同様の処理を繰り返し、それ以外
の場合（ステップＳ９８；Ｙｅｓ）には処理を終了する。
以上に説明したように、ステップＳ９０〜Ｓ９８の処理が繰り返されることにより、画
像が表示部１８に順次表示されるとともに、地図およびコメントが表示される。また、領
域１８ａに表示される地図は、画像の密度に応じて縮尺が選択されるとともに、トラック
５３の対応する位置にスライダ５４が表示される。
【００４４】
図１２は、図１１の次に表示される画面の一例である。この例では、領域１８ｂには、
図１１とは異なる画像が表示されている。すなわち、この例では、人物と鳥居が撮像され
た画像が表示されている。また、領域１８ｃには、領域１８ｂに表示された画像に関する
コメントとして「△△神社の××鳥居と共に。」が表示されている。また、領域１８ａに
は、図１１の場合よりも縮尺が大きい詳細な地図が表示されている。より詳細には、図１
１の左から２番目のアイコン７０に対応する２つのアイコン７０−１，７０−２が表示さ
れ、これら２つのアイコン７０−１，７０−２のうち、左側に位置するアイコン７０−１
がハイライト表示されている。なお、図１２中のこれら２つのアイコン７０−１，７０−
２は、図１１では近接して配置されることから、１つのアイコン７０として表示されてい
る。また、スライダ５４は、ハイライト表示されたアイコン７０−１の下に表示されてい
る。さらに、図１２では、領域１８ａに表示される地図の情報量が、図１１の場合に比較
して増加している。すなわち、図１２の例では、図１１の地図上において表示が省略され
ている施設名、場所名、および、地図記号等の情報が、図１２では表示されている。具体
的には、図１２では、地名「柿山」および「△△温泉」とそれぞれに対応する地図記号が
新たに表示されている。
【００４５】
図１３は、図１２の次に表示される画面の一例である。この例では、領域１８ｂには、
図１２とは異なる画像が表示されている。すなわち、この例では、２人の人物と鳥居が撮
像された画像が表示されている。また、領域１８ｃには、領域１８ｂに表示された画像に
関するコメントとして「△△神社の××鳥居にて夫婦で。」が表示されている。また、領
域１８ａには、図１２と同じ縮尺の地図が表示され、図１２においてハイライト表示され
ているアイコン７０−１の右隣のアイコン７０−２がハイライト表示されている。また、
ハイライト表示されたアイコン７０−２の下にスライダ５４が表示されている。
【００４６】
図１４は、図１３の次に表示される画面の一例である。この例では、領域１８ｂには、
図１３とは異なる画像が表示されている。すなわち、この例では、人物と家屋が撮像され
た画像が表示されている。また、領域１８ｃには、領域１８ｂに表示された画像に関する
コメントとして「旧○×邸にて。」が表示されている。また、領域１８ａには、図１３よ
りも縮尺が大きい詳細な地図が表示されている。より詳細には、図１３の領域１８ａの右
側に近接して表示されている３つのアイコン７０に対応する６つのアイコン７０が表示さ
れ、これら６つのアイコンのうち、一番下に位置するアイコン７０がハイライト表示され
ている。また、ハイライト表示されたアイコン７０の左側にスライダ５４が表示されてい
る。さらに、図１４では、領域１８ａに表示される地図の情報量が、図１３の場合に比較
してさらに増加している。すなわち、図１４の例では、図１３の地図上において表示が省
略されている施設名、場所名、および、地図記号等の情報が、図１４では表示されている
。具体的には、図１４では、施設名「××碑」および「△△郵便局」が新たに表示され、
それぞれに対応する地図記号が新たに表示されている。このため、縮尺が大きいほど、地
図上に表示される情報の情報量が増大する。その結果、ユーザは、関心度が高い撮像場所
周辺の詳細な情報を得ることができる。
【００４７】
これらの図１１〜図１４に示すように、スライドショーが開始されると、領域１８ｂに
画像が順次表示されるとともに、それに応じたコメントが領域１８ｃに表示される。また
、領域１８ａには、テーブルに格納されている地図縮尺に対応する地図が表示されるとと
もに、トラックバー５０が表示される。トラックバー５０に表示されているスライダ５４
は、撮像場所に近いトラック５３上の所定の位置に表示される。これにより、地図上にお
ける撮像場所を知ることができる。また、画像が複数撮像された場所については、ユーザ
の注目度が高いと判断されることから、縮尺の大きい地図が表示され、詳細な情報を地図
から得ることができる。また、縮尺の大きい地図を表示することにより、アイコン７０を
実際の画像の枚数に近い数だけ表示することができる。
【００４８】
ところで、ステップＳ９７において、スライダ５４が操作されたと判定された場合には
、ステップＳ９９に進む。ステップＳ９９では、実行処理モジュール３６は、入力装置１
９から入力された操作情報を操作情報入力モジュール３３を介して取得し、移動後のスラ
イダ５４の位置（例えば、座標値）を取得する。
ステップＳ１００では、実行処理モジュール３６は、ステップＳ９９において取得した
スライダ位置に対応する画像をテーブル３２ｃから検索する。具体的には、実行処理モジ
ュール３６は、ステップＳ９９で取得したスライダ位置に最も近い、スライダ位置をテー
ブル３２ｃから検索する。そして、ステップＳ９０に進む。ステップＳ９０では、ステッ
プＳ１００で選択された画像に対応する画像がテーブル３２ｃから選択される。なお、ス
テップＳ９１以降の処理は、前述した場合と同様である。
ステップＳ９７，Ｓ９９，Ｓ１００およびステップＳ９０以降の処理によれば、ユーザ
がスライダ５４を操作して移動させた場合には、移動後のスライダ５４の位置に対応する
画像が選択され、領域１８ｂに表示されるとともに、領域１８ａおよび領域１８ｃには、
対応する地図およびコメントが表示される。より具体的には、図１３に示す画面において
、スライダ５４が左から２番目のアイコン７０−１の位置まで移動された場合（戻された
場合）には、左から２番目のアイコンに対応する画像が対象として選択された後、図１２
に示す画面が表示されることになる。なお、スライダ５４が領域１８ａに表示されている
範囲外に移動された場合には、新たな領域に対応する地図が表示され、表示された新たな
地図上に存在するトラック５３に沿ってスライダ５４を移動することができる。なお、表
示される地図の縮尺は、移動後のスライダ５４の位置に対応する画像を求め、当該画像に
関連付けされた地図縮尺に基づいて決定するようにしてもよい。あるいは、スライダ５４
が操作された時点で表示されている地図の縮尺に固定するようにしてもよい。さらに、ユ
ーザの操作に応じて地図の縮尺を変更できるようにしてもよい。
【００４９】
つぎに、図１５を参照して、図１０のステップＳ９２とステップＳ９３の間において実
行される処理の一例について説明する。なお、図１５の処理は、図６のステップＳ１０に
示す初期設定において、「コメントに含まれるキーワードに対応する地図情報を表示する
機能」がオンの状態にされた場合に実行される処理である。図１５に示すフローチャート
の処理が実行されると、以下のステップが実行される。すなわち、実行処理モジュール３
６は、ステップＳ１２０において、ステップＳ９２において表示された地図が詳細地図で
あるか否かを判定し、詳細地図が表示されている場合（ステップＳ１２０；Ｙｅｓ）には
ステップＳ１２１に進み、それ以外の場合（ステップＳ１２０；Ｎｏ）には処理を終了す
る。例えば、図４に示す「Ｓ０２」または「Ｓ０３」が表示されている場合には、ステッ
プＳ１２１に進む。なお、「Ｓ０３」が表示されている場合にのみステップＳ１２１に進
むようにしてもよいし、あるいは、どのような場合にステップＳ１２１に進むかをユーザ
が設定できるようにしてもよい。
【００５０】
ステップＳ１２１では、実行処理モジュール３６は、表示対象の画像に対応するコメン
トをテーブル３２ｃの「付加情報」を参照して取得する。例えば、図１２の表示例では、
コメント「△△神社の××鳥居と共に。」が取得される。
つづくステップＳ１２２では、実行処理モジュール３６は、ステップＳ１２１で取得し
たコメントから、例えば、形態素解析処理を利用して、キーワードを抽出する。図１２の
例では、コメント「△△神社の××鳥居と共に。」から、キーワードとして「△△神社」
および「××鳥居」が抽出される。
ステップＳ１２３では、実行処理モジュール３６は、格納モジュール３２に格納されて
いる図示せぬ周辺情報データから、ステップＳ１２２で取得したキーワードに対応する情
報を検索によって取得する。例えば、いまの例では、キーワード「△△神社」に対応する
情報として、「△△神社本殿」および「△△神社神楽殿」ならびにこれらの所在位置を示
す情報（緯度および経度）が取得される。
ステップＳ１２４では、実行処理モジュール３６は、検索結果を表示処理モジュール３
７に供給する。表示処理モジュール３７は、供給された情報を領域１８ａに表示されてい
る地図に重ねて表示する。図１６は、前述した例に対応する画面の表示例である。図１６
の表示例では、領域１８ａに表示されている地図に、「△△神社本殿」と「△△神社神楽
殿」が表示されている。このような表示を参照することにより、ユーザは、現在表示中の
画像に関連がある情報を地図上において参照することができる。なお、図１６の例では、
地図記号および文字列を表示するようにしたが、例えば、画像情報またはテキスト情報を
表示するようにしてもよい。具体的には、図１６の例では、△△神社の沿革等を説明する
テキスト情報を新たな領域を設けて表示したり、△△神社の本殿の画像を同様に新たな領
域を設けて表示したりするようにしてもよい。
【００５１】
以上に説明したように、本発明の実施の形態によれば、表示中の画像の撮像場所の近傍
における撮像枚数が多い場合には縮尺の大きい詳細な地図を表示し、撮像枚数が少ない場
合には縮尺の小さい地図を表示するようにしたので、ユーザの関心が高いと考えられる撮
像枚数の多い領域を詳細な地図によって表示することにより、撮像場所の近隣の詳細な情
報をユーザに与えることができる。
【００５２】
また、本実施の形態では、複数のアイコン７０が重複して表示される場合には、これら
複数のアイコン７０をまとめて１つのアイコン７０として表示するようにしたので、特に
、縮尺が小さい広域地図において、複数のアイコン７０が重複して表示され、視認性が低
下することを防止できる。
【００５３】
また、本実施の形態では、領域１８ｂに表示されている画像に対応するアイコン７０が
ハイライト表示されるようにしたので、ユーザは、現在表示中の画像がどこで撮像された
かを知ることができる。
【００５４】
また、本実施の形態では、領域１８ａに表示されている地図が、縮尺が大きい詳細地図
の場合には、撮像場所の周辺に存在する施設または場所を示す周辺情報を表示するように
したので、ユーザの関心が高いと考えられ、縮尺が大きい地図が表示されている撮像場所
については、周辺に存在する施設または場所を示す情報を表示し、より詳細な情報を与え
ることができる。
【００５５】
また、本実施の形態では、地図の縮尺が大きいほど、領域１８ａに表示される情報の情
報量が多くなるようにしたので、ユーザの関心が高く、詳細地図が表示される撮像場所に
ついてはたくさんの情報を与え、関心がそれほど高くなく、広域地図が表示されている撮
像場所については情報量を減らすことにより、視認性を向上させることができる。
【００５６】
（Ｄ）変形実施の態様
なお、上述した実施の形態は、あくまでも本発明の一態様を示すものであり、本発明の
範囲内で任意に変形および応用が可能であることは勿論である。
例えば、以上では、本発明の表示装置をパーソナルコンピュータ等に適用した場合を例
に挙げて説明したが、本発明は、これ以外にも多くの機器に適用することができる。具体
的には、例えば、デジタルカメラ、携帯電話機、ＰＤＡ（Personal Digital Assistant）
、ゲーム機器、および、その他表示部を有する電子機器に対して本発明を適用することが
できる。
【００５７】
また、以上の実施の形態では、説明を簡略化するために、トラックバー５０を地図に予
め付加した情報を保持し、これを必要に応じて表示するようにしたが、トラックバー５０
と地図を別々のデータとして保持し、表示時においてこれらを重畳して表示するようにし
てもよい。
また、以上の実施の形態では、トラック５３は、曲線として描画するようにしたが、撮
像場所を結ぶ折れ線として表示するようにしてもよい。その場合、撮像場所が近接して複
数存在する場合には、これらの撮像場所の間に折れ線がジグザグに表示されることになる
ので、撮像場所が近接して存在する場合には、これらの代表的な場所に基づいて折れ線を
描画するようにしてもよい。
【００５８】
また、以上の実施の形態では、縮尺の異なる３種類の地図を利用するようにしたが、２
種類の地図でも、４種類以上の地図を利用するようにしてもよい。あるいは、地図データ
をベクトルデータとして保持し、任意に指定された縮尺に基づいて地図を描画するように
してもよい。また、任意ではなく、予め定められた複数の縮尺の中から選択された縮尺に
基づいて描画するようにしてもよい。
【００５９】
また、以上の実施の形態では、撮像場所を示すアイコン７０としては、常に同じ形状の
アイコンを使用するようにしたが、例えば、当該アイコンが代表する撮像場所の数に応じ
て、アイコンの表示形態を変更するようにしてもよい。例えば、代表する撮像場所の数に
応じてアイコンの表示サイズを増減するようにしたり、代表する撮像場所の数に応じた数
字をアイコンの周辺に表示したりするようにしてもよい。
【００６０】
また、以上の実施の形態では、経度および緯度のみを用いて、高度については利用しな
いようにしたが、例えば、高度に関する情報を用いて三次元的な地図およびトラックバー
を表示するようにしてもよい。そのような表示形態によれば、高度に関する情報を表示画
面から参酌することにより、撮像場所の状況をより的確に把握することができる。例えば
、山の頂上で撮像した画像の場合では、スライダはトラックの高さ方向のピーク付近に位
置することから、山の頂上等の高い位置で撮像されたことを理解することができる。
【００６１】
また、以上の実施の形態では、コメントに含まれているキーワードから周辺に存在する
施設および場所等の周辺情報を検索して表示するようにしたが、例えば、表示する施設お
よび場所等のカテゴリを予め選択しておき、選択されたカテゴリに含まれる周辺情報を表
示するようにしてもよい。あるいは、選択せずに全ての情報を表示することも可能である
。
【００６２】
また、以上の実施の形態では、所定の撮像場所を中心とする円形領域内において撮像さ
れた画像の枚数に応じて、地図の縮尺を変更するようにしたが、円形領域ではなく矩形領
域とすることも可能である。また、以上の実施の形態では、領域の広さは固定としたが、
領域の広さをユーザが変更できるようにしてもよい。また、単に撮像枚数を参照するだけ
でなく、例えば、注目する撮像場所とこれに最も近接する他の撮像場所の距離を考慮して
、縮尺を決定するようにしてもよい。例えば、近接する他の撮像場所との距離が短い場合
には縮尺を大きくし、そうでない場合には密度が高い場合であっても縮尺を変更しないま
たは縮尺を小さくすることができる。
【００６３】
なお、上記の処理機能は、コンピュータによって実現することができる。その場合、表
示装置が有すべき機能の処理内容を記述したプログラムが提供される。そのプログラムを
コンピュータで実行することにより、上記処理機能がコンピュータ上で実現される。処理
内容を記述したプログラムは、コンピュータで読み取り可能な記録媒体に記録しておくこ
とができる。コンピュータで読み取り可能な記録媒体としては、磁気記録装置、光ディス
ク、光磁気記録媒体、半導体メモリなどがある。磁気記録装置には、ハードディスク装置
（ＨＤＤ）、フレキシブルディスク（ＦＤ）、磁気テープなどがある。光ディスクには、
ＤＶＤ（Digital Versatile Disk）、ＤＶＤ−ＲＡＭ、ＣＤ−ＲＯＭ（Compact Disk ROM
）、ＣＤ−Ｒ（Recordable）／ＲＷ（ReWritable）などがある。光磁気記録媒体には、Ｍ
Ｏ（Magneto-Optical disk）などがある。
【００６４】
プログラムを流通させる場合には、たとえば、そのプログラムが記録されたＤＶＤ、Ｃ
Ｄ−ＲＯＭなどの可搬型記録媒体が販売される。また、プログラムをサーバコンピュータ
の記憶装置に格納しておき、ネットワークを介して、サーバコンピュータから他のコンピ
ュータにそのプログラムを転送することもできる。
【００６５】
プログラムを実行するコンピュータは、たとえば、可搬型記録媒体に記録されたプログ
ラムもしくはサーバコンピュータから転送されたプログラムを、自己の記憶装置に格納す
る。そして、コンピュータは、自己の記憶装置からプログラムを読み取り、プログラムに
従った処理を実行する。なお、コンピュータは、可搬型記録媒体から直接プログラムを読
み取り、そのプログラムに従った処理を実行することもできる。また、コンピュータは、
サーバコンピュータからプログラムが転送される毎に、逐次、受け取ったプログラムに従
った処理を実行することもできる。
【図面の簡単な説明】
【００６６】
【図１】本発明の実施形態に係る表示装置のブロック図である。
【図２】プログラムが実行された場合に実現される機能ブロック図である。
【図３】画像とトラックバーの表示態様を示す図である。
【図４】地図の種類を示す図である。
【図５】撮像場所を示すアイコンとトラックバーの表示形態を示す図である。
【図６】表示装置において実行される処理を説明するフローチャートである。
【図７】図６のステップＳ１２の詳細を説明するフローチャートである。
【図８】テーブルの詳細を説明する図である。
【図９】図６のステップＳ１３の詳細を説明するフローチャートである。
【図１０】図６のステップＳ１４の詳細を説明するフローチャートである。
【図１１】表示装置に表示される情報の一例である。
【図１２】表示装置に表示される情報の一例である。
【図１３】表示装置に表示される情報の一例である。
【図１４】表示装置に表示される情報の一例である。
【図１５】図６のステップＳ１２，Ｓ１３の間で実行される処理の一例である。
【図１６】図１５の処理によって表示される情報の一例である。
【符号の説明】
【００６７】
１０…表示装置、１１…ＣＰＵ、１２…ＲＯＭ、１３…記憶装置、１４…ＲＡＭ、１５
…画像処理装置、１６…Ｉ／Ｆ、１７…バス、１８…表示装置、１９…入力装置、３１…
画像データ入力モジュール、３２…格納モジュール、３３…操作情報入力モジュール、３
４…登録処理モジュール（アイコン表示手段、変更手段）、３５…作成処理モジュール、
３６…実行処理モジュール、３７…表示処理モジュール（画像表示手段、地図表示手段）
、５０…トラックバー、５１，５２…アイコン、５３…トラック、５４…スライダ、７０
…アイコン。
【図１】
2009237243.tif 000003
【図２】
2009237243.tif 000004
【図３】
2009237243.tif 000005
【図４】
2009237243.tif 000006
【図５】
2009237243.tif 000007
【図６】
2009237243.tif 000008
【図７】
2009237243.tif 000009
【図８】
2009237243.tif 000010
【図９】
2009237243.tif 000011
【図１０】
2009237243.tif 000012
【図１１】
2009237243.tif 000013
【図１２】
2009237243.tif 000014
【図１３】
2009237243.tif 000015
【図１４】
2009237243.tif 000016
【図１５】
2009237243.tif 000017
【図１６】
2009237243.tif 000018